(57)【要約】システムが、例えばコンピュータ等の表示情報発生装置と、例えばモニタ等の上記表示情報発生装置により発生された表示情報を表示スクリーン上に表示する表示装置とを有している。該システムは、更に、上記表示情報のうちの上記表示スクリーン上の領域に対応する部分が向上されねばならないかを検出する検出器を有している。上記表示情報の斯かる部分は、例えばウインドウズのウインドウである。上記検出器は、上記表示情報の上記部分において、（ｉ）アプリケーションが、非合成情報が表示されることを示すような一群のアプリケーションのうちの１つであり、該アプリケーションが画像ビューワでないか、又は（ｉｉ）ファイルの拡張子が、非合成情報が表示されることを示すような一群の拡張子のうちの１つであるか、又は（ｉｉｉ）動く情報が表示されるかを検出する。これら規準のうちの少なくとも１つが真であるなら、上記領域における表示情報は向上される。
2004519779.tif 000002
【特許請求の範囲】
【請求項１】
表示情報を発生する表示情報発生装置と、
前記表示情報を表示するための表示スクリーンを有する表示装置と、
前記表示情報における前記表示スクリーン上の領域に対応する部分において、（ｉ）アプリケーションが、非合成情報が表示されることを示すような一群のアプリケーションのうちの１つであり、該アプリケーションが画像ビューワではない、又は
（ｉｉ）ファイルの拡張子が、非合成情報が表示されることを示すような一群の拡張子のうちの１つである、又は
（ｉｉｉ）動く情報が表示される、
なる評価規準の少なくとも１つが満たされるかを検出する検出手段と、
前記評価規準（ｉ）、（ｉｉ）及び（ｉｉｉ）のうちの少なくとも１つが真である場合に、前記表示情報の前記部分を向上させる向上手段と、
を有することを特徴とするシステム。
【請求項２】
請求項１に記載のシステムにおいて、前記表示情報発生装置はコンピュータを有し、前記検出手段は、該コンピュータの一部であると共に、該コンピュータ上でアプリケーションが開始されたことを検出する一方、該開始されたアプリケーションが前記一群のアプリケーションのうちの１つであるか、該開始されたアプリケーションに関連するファイルの拡張子が前記一群の拡張子のうちの１つであるか、及び／又は動く情報が表示されるかを判定する適切にプログラムされたプロセッサを有していることを特徴とするシステム。
【請求項３】
請求項２に記載のシステムにおいて、前記表示情報の前記部分は活性状態のウインドウであり、前記検出手段は、ウインドウが開かれたかを検出して、該開かれたウインドウに関連するアプリケーション及び／又は該ウインドウに表示されるファイルのファイル拡張子を該ウインドウにリンクされた情報から決定するように適切にプログラムされていることを特徴とするシステム。
【請求項４】
請求項１に記載のシステムにおいて、前記検出手段が、
第１の時点において前記表示情報の前記部分又は該部分の一部を第１データとして記憶するメモリと、
前記第１データを後の第２の時点における前記表示情報の前記部分又は該部分の一部に対応する第２データと比較し、前記記憶された表示情報と前記第２の時点における対応する表示情報との間の差が限界値を超えるかを示す手段と、
を有していることを特徴とするシステム。
【請求項５】
請求項１に記載のシステムにおいて、前記検出手段が、
第１の時点において前記表示情報の前記部分又は該部分の一部を第１データとして記憶するメモリと、
前記第１データを後の第２の時点における前記表示情報の前記部分又は該部分の一部に対応する第２データと比較して、差分値を得る比較器と、
前記差分値の絶対値を決定する手段と、
前記第１データ及び前記第２データの対応するデータワードの差分値の前記絶対値の総和をとる総和手段と、
前記総和を限界値と比較する他の比較器と、
を有していることを特徴とするシステム。
【請求項６】
請求項４に記載のシステムにおいて、前記メモリがコンピュータのビデオアダプタのビデオメモリであることを特徴とするシステム。
【請求項７】
請求項４に記載のシステムにおいて、前記検出手段が適切にプログラムされたマイクロプロセッサを有していることを特徴とするシステム。
【請求項８】
請求項１に記載のシステムにおいて、前記情報発生装置は前記領域を規定する座標を前記表示装置に供給する手段を有し、前記表示装置が前記検出手段を有し、該検出手段が、
前記領域におけるライン又はラインの和の輝度値を決定する積分器と、
前記決定された輝度値を第１の時点において記憶するサンプル・ホールド手段と、
前記記憶された輝度値を後の時点における前記領域のライン又はラインの和の更なる輝度値と比較して、前記記憶された輝度値と前記更なる輝度値との間の差が限界値を超えるかを示すような制御信号を出力する比較器と、
を有していることを特徴とするシステム。
【請求項９】
請求項１に記載のシステムにおいて、前記検出手段は、該検出手段が前記表示情報の前記部分において前記評価規準（ｉ）、（ｉｉ）及び（ｉｉｉ）のうちの少なくとも１つが真であることを検出した場合に、前記制御信号を出力して前記向上手段による前記向上を自動的に動作させるように構成されていることを特徴とするシステム。
【請求項１０】
請求項９に記載のシステムにおいて、該システムは、
ユーザ入力を入力して、前記表示情報の前記部分が向上されるべきか否かを示すユーザ情報を出力する入力手段と、
前記検出手段からの前記制御信号及び前記ユーザ情報を入力し、前記ユーザ入力に応じて前記検出手段による前記自動的な検出とは独立に前記向上を動作させ又は動作させないように適応化された制御信号を出力する制御手段と、
を更に有していることを特徴とするシステム。
【請求項１１】
表示情報を表示スクリーン上に表示する方法において、
前記表示情報における前記表示スクリーン上の或る領域に対応する部分において、
（ｉ）アプリケーションが、非合成情報が表示されることを示すような一群のアプリケーションのうちの１つであり、該アプリケーションが画像ビューワではない、又は
（ｉｉ）ファイルの拡張子が、非合成情報が表示されることを示すような一群の拡張子のうちの１つである、又は
（ｉｉｉ）動く情報が表示される、
なる評価規準の少なくとも１つが満たされるかを検出するステップと、
前記評価規準（ｉ）、（ｉｉ）及び（ｉｉｉ）のうちの少なくとも１つが真である場合に、前記表示情報の前記部分を向上させるステップと、
を有することを特徴とする方法。
【請求項１２】
表示スクリーンを備えた表示装置で使用する表示情報を供給するコンピュータにおいて、該コンピュータが、
前記表示情報における前記表示スクリーン上の或る領域に対応する部分において、
（ｉ）アプリケーションが、非合成情報が表示されることを示すような一群のアプリケーションのうちの１つであり、該アプリケーションが画像ビューワではない、又は
（ｉｉ）ファイルの拡張子が、非合成情報が表示されることを示すような一群の拡張子のうちの１つである、又は
（ｉｉｉ）動く情報が表示される、
なる評価規準の少なくとも１つが満たされるかを検出する検出手段と、
前記評価規準（ｉ）、（ｉｉ）及び（ｉｉｉ）のうちの少なくとも１つが真である場合に、前記表示装置で使用するための前記領域を規定する座標のみを供給する手段と、
を有することを特徴とするコンピュータ。
【請求項１３】
表示スクリーン上に表示情報を表示する表示装置において、該表示装置は前記表示情報における前記表示スクリーン上の或る領域に対応する部分が向上されるべきであるかを決定する検出手段を有し、該検出手段が、
前記領域におけるライン又はラインの和の輝度値を決定する積分器と、
前記決定された輝度値を第１の時点において記憶するサンプル・ホールド手段と、
前記記憶された輝度値を後の時点における前記領域のライン又はラインの和の更なる輝度値と比較して、前記記憶された輝度値と前記更なる輝度値との間の差が限界値を超えるかを示すような制御信号を出力する比較器と、
を有していることを特徴とする表示装置。
【請求項１４】
請求項１３に記載の表示装置において、該表示装置が前記領域の位置を規定する情報を入力する手段を有していることを特徴とする表示装置。
【発明の詳細な説明】
【０００１】
【発明の属する技術分野】
本発明は、表示情報における表示装置の表示スクリーンの或る領域に対応する部分を強調するシステム、表示情報を局部的に強調する方法、表示情報を局部的に強調することができるコンピュータ、及び表示情報を局部的に強調することができる表示装置に関する。
【０００２】
【従来の技術】
国際特許出願公開第ＷＯ−Ａ−９９／２００４２号公報は、陰極線管の駆動信号範囲がウインドウ内で局部的に向上されるような画像表示装置を開示している。斯かるウインドウにおける平均光度は監視され、該ウインドウにおいてドーミングの危険性がある場合は、駆動信号範囲が低減される。増幅利得が増加されるようなウインドウを選択することができる。一実施例においては、これは、テキストを含むウェブページおよび写真又はビデオを伴うサブウインドウを示す例えばウェブブラウザであるような画像ソースにより実行される。斯かるウェブブラウザは、増幅利得を増加するために、写真又はビデオを伴うサブウインドウの１以上を指示することができる。他の例として、これは、利得を増加することによりＣＲＴにおける拡大されたスポット寸法により失われるであろうウインドウ内の高空間周波数エネルギ成分を決定し、該成分を低空間周波数エネルギ成分と比較することにより可能である。
【０００３】
【発明が解決しようとする課題】
本発明の目的は、表示情報発生装置及び表示情報を表示する表示装置を有するシステムであって、多様な状況に対して何のウインドウが向上されるべきかを自動的に検出する一層信頼性のある方法を有するようなシステムを提供することにある。
【０００４】
【課題を解決するための手段】
この目的のため、本発明の第１の態様は、請求項１に記載するような、表示情報における表示装置の表示スクリーンの或る領域に対応する部分を向上させるシステムを提供する。また、本発明の第２の態様は、請求項１１に記載するような、表示情報を局部的に向上させる方法を提供する。また、本発明の第３の態様は、請求項１２に記載するような、表示情報を局部的に向上させることができるコンピュータを提供する。また、本発明の第４の態様は、請求項１３に記載するような、表示情報を局部的に向上させることができる表示装置を提供する。本発明の有利な実施例は、従属請求項に記載されている。
【０００５】
本システムは、例えばコンピュータ等の表示情報発生装置と、例えばモニタ等の上記表示情報発生装置により発生された表示情報を表示スクリーン上に表示する表示装置とを有している。該システムは、更に、上記表示情報における上記表示スクリーン上の或る領域に対応する部分が向上されるべきかを検出する検出器を有している。上記表示情報の部分は、例えばウインドウズ（登録商標）のウイント゛ウとすることができる。上記大文字で始まる“ウインドウズ”とは、マイクロソフト社のオペレーティングシステムであるウインドウズ（登録商標）を指す。また、上記小文字で始まる“ウインドウ”とは、表示装置における表示スクリーン上に表示される表示情報の一領域を指す。斯かる領域は方形又は如何なる他の形状をも有すことができる。
【０００６】
上記検出器は、上記表示情報の上記部分において：
（ｉ）アプリケーションが、非合成情報が表示されることを示すような一群のアプリケーションのうちの１つであり、該アプリケーションが画像ビューワではないか；又は
（ｉｉ）ファイルの拡張子が、非合成情報が表示されることを示すような一群の拡張子のうちの１つであるか、又は
（ｉｉｉ）動く情報が表示されるか、
を検出する。これらの評価規準の少なくとも１つが真である場合は、上記領域における情報は向上されるであろう。
【０００７】
合成情報とは、例えばテキスト、グラフィックス及びテーブル等のコンピュータにより合成された情報であり、非合成情報とは、例えば写真及びビデオ／映画等のコンピュータにより合成された情報ではない情報である。
【０００８】
（ｉ）に関しては、当該領域に情報を供給するアプリケーションが、写真又はビデオを示すアプリケーションであるかを検出することができる。国際特許出願公開第ＷＯ０１／４１１１７号（出願人整理番号：ＰＨＮ１７７８４）は、選択されたビデオウインドウの画像品質を、当該ウインドウにおけるビデオ情報が写真又は動画ビデオである場合に改善するようなシステムを開示している。更に詳細には、モニタが表示スクリーン上のウインドウの正確な位置を決定するのを可能にするために、何の情報がコンピュータから該モニタへ伝送されねばならないかが開示されている。更に、コンピュータ内のマイクロプロセッサがウインドウ内で何のアプリケーションが動作しているかを検出することができ、このアプリケーションが画像ビューワである場合は、モニタに対して画像が表示されることを示すことができることが開示されている。従って、画像ビューワは拒否されねばならない。非合成情報が表示されることを示すようなアプリケーションの群内に入り、且つ、画像ビューワではないようなアプリケーションの例は、映画プレーヤ、又は、例えばＴＶチューナカードから又はＰＣに接続されたビデオレコーダ、カムコーダ若しくはデジタル（ビデオ）カメラからのビデオを示す他のアプリケーションである。
【０００９】
（ｉｉ）に関しては、当該領域に表示されるべき情報を含むファイルの拡張子が、非合成情報が表示されることを示すような一群の拡張子のうちの１つであるかを検出することができる。斯様な拡張子の例は、ｊｐｇ、ｔｉｆｆ、ｍｐｇ、ｍｏｖ等である。
【００１０】
（ｉｉｉ）に関しては、動く情報が表示されるかが検出される。当該領域に表示される情報が、映画に存在するような動くオブジェクトを有するかを決定するために、全ての種類の既知のアルゴリズム又は回路を使用することができる。
【００１１】
表示情報を向上させる幾つか例は、増加された光出力（一層高い輝度又はコントラスト）、増加された鮮鋭度、適応化された白色、ノイズの低減、又は当該領域における表示情報の品質を改善する又は当該領域への注意を惹くような何からの他の信号処理である。
【００１２】
請求項４に記載されたような本発明の一実施例においては、当該領域における動きが、以前の時点において記憶された該領域におけるビデオデータと後の時点における対応するビデオデータとを比較することにより決定される。両データ間の差が所定の限界値より大きい場合は、動きが生じた可能性が非常に高い。例えば、記憶されたデータの各データワードの値を、後のデータの対応するデータワードと比較することが可能である。所定数以上の対応するデータワードが所定値以上相違する場合は、動きが存在する可能性が高い。動き検出器の効率的な実施例が、請求項５に記載されている。ここでは、対応するデータワードの差の絶対値が合計される。この合計値が限界値を超える場合は、動きは殆ど間違いなく存在する。
【００１３】
動き検出は、対応するデータワード間の差を連続的に追跡することにより改善することができる。動きは、この差が限界値より殆ど連続して大きい場合にのみ検出される。当該領域における全てのデータワードを比較する必要はなく、部分集合で充分である。例えば、斯様な部分集合は、数ラインのみのデータワード、又は分散されたピクセル群、又は３つ置きのピクセルを有することができる。
【００１４】
請求項８に記載されたような本発明の一実施例においては、前記情報発生装置は、当該領域を規定する座標を表示装置に供給する。該表示装置は検出回路を有している。該検出回路は積分器、サンプル・ホールド回路及び比較器を有している。最初の時点において、上記検出回路は当該領域におけるライン又はラインの和の輝度値を決定する。最初の時点における該決定された輝度値は上記サンプル・ホールド回路により記憶される。上記比較器は、該記憶された輝度値を、後の時点における当該領域の対応するライン又はラインの和の更なる輝度値と比較し、上記記憶された輝度値と上記更なる輝度値との間の差が限界値を超えるかを示す。このようにして、当該領域が動画ビデオを含むかについての検出は当該モニタにおいて実施される。該モニタは、表示されるべき全ての領域（ウインドウ）の座標を入力し、何の領域が向上され、何の領域が向上されないかを決定する。当該コンピュータは、何の領域が向上されるべきかを検出する必要はなく、向上されるべき領域の座標のみをモニタに送出する必要もない。該コンピュータは、全てのウインドウの座標をモニタに送出する。これは、コンピュータのプロセッサの負荷が最小化されるべきであるような状況に特に該当する。
【００１５】
請求項９に記載されたような本発明の一実施例においては、当該領域に表示されるビデオ情報に前記評価規準（ｉ）、（ｉｉ）又は（ｉｉｉ）の１以上が該当し得る場合に、ビデオ処理が該領域おけるビデオ情報を自動的に向上させる。
【００１６】
請求項１０に記載したような本発明の一実施例においては、ユーザが、未だ向上されていない領域が向上されるべきであること、又は自動的に向上される領域が向上されるべきでないことを示すことができる。後者の状況では、当該ユーザは自動向上機能を左右する。
【００１７】
本発明の上記及び他の態様は、以下に記載する実施例から明らかとなり、斯かる実施例を参照して説明されるであろう。
【００１８】
【発明の実施の形態】
図１は、表示スクリーンＤＳ上の領域の例１、２及び３を示し、これら領域は表示情報ＤＩの各部分に対応している。一例として、ウインドウズ（登録商標）の方形ウインドウのみが示されている。これらウインドウは、ウインドウ１により示されるように重なり合わないか、又はウインドウ３に重なるウインドウ２により示されるように重なり合っていてもよい。向上されるべき表示情報ＤＩの部分１、２及び３は、領域１及び２を示す長方形内の領域に対応するか、又はウインドウ３のハッチングされた領域により示されるような非長方形の領域に対応することもできる。本発明は、勿論、非長方形のウインドウ又は領域が関係する場合にも使用することができる。
【００１９】
図２ないし５は、本発明によるシステムの実施例のブロック図を示している。
【００２０】
図２は、コンピュータＰＣとモニタＭＯＮとのシステムを示している。コンピュータＰＣはパーソナルコンピュータとすることができる一方、モニタＭＯＮは陰極線管、液晶表示器、又は表示情報ＤＩを表示する表示スクリーンＤＳを備えるような如何なる他の表示装置とすることもできる。ＰＣはグラフィックスアダプタＧＡを有し、該アダプタは表示情報ＤＩを検出回路ＤＥ１及びエンコーダＥＮＣに供給する。エンコーダＥＮＣ及びモニタＭＯＮ内の対応するデコーダＤＥＣは必須ではなく省略することができる。例えばマイクロプロセッサ等のプロセッサＰＲＯは、グラフィックスアダプタＧＡを制御して表示情報ＤＩを供給すると共に、検出回路ＤＥ１を制御して、表示情報ＤＩの部分１、２及び３において下記の評価規準（ｉ）ないし（ｉｉｉ）のうちの少なくとも１つが真であるかを示す制御信号ＣＩ１を供給する：
（ｉ）アプリケーションが、非合成情報が表示されることを示すような一群のアプリケーションのうちの１つであり、該アプリケーションは画像ビューワではない、又は
（ｉｉ）ファイルの拡張子が、非合成情報が表示されることを示すような一群の拡張子のうちの１つである、又は
（ｉｉｉ）動く情報が表示される。
【００２１】
プロセッサＰＲＯは、向上又は強調されるべき領域の座標ＣＯを検出回路ＤＥ１及びエンコーダＥＮＣに供給する。エンコーダＥＮＣは、上記表示情報、座標ＣＯ及び制御情報ＣＩ１を合成して、コンピュータＰＣからモニタＭＯＮに伝送される符号化信号ＥＤＩを得る。
【００２２】
本発明による該実施例においては、コンピュータＰＣが、座標ＣＯにより示される領域における表示情報ＤＩが向上されるべきか否かを検出する。コンピュータＰＣは、向上されるべき領域の座標ＣＯをモニタＭＯＮに送出する。モニタＭＯＮは向上回路を有している。このシステムは、領域が向上されねばならないかの判定が、該領域の位置に関する情報が容易に得られると共に、利用可能なプロセッサの処理能力を検出アルゴリズムを実行するために使用することができるようなコンピュータＰＣにおいてなされるという利点を有している。
【００２３】
モニタＭＯＮはデコーダＤＥＣを有し、該デコーダは上記の符号化表示信号ＥＤＩを表示情報ＤＩ、制御信号ＣＩ１及び座標ＣＯに復号する。向上回路ＥＭ１は、制御信号ＣＩ１が向上すべきことを示す場合に、座標ＣＯにより規定される領域を向上させる。これら領域において向上された向上ビデオ情報は、駆動回路ＤＲＳを介して表示スクリーンＤＳに駆動ビデオ信号ＤＳＩとして供給される。上記向上又は強調は、増加された光出力、調整された白色、鮮鋭度の改善、ノイズ低減、又は向上されるべき領域に対して向上されない領域とは異なるような何らかの他の信号処理アルゴリズムとすることができる。
【００２４】
上記コンピュータＰＣ及びモニタＭＯＮが、ＶＧＡインターフェース及びケーブル等の標準のインターフェース及びインターフェースケーブルを介して相互接続された別個のユニットである場合は、エンコーダＥＮＣは表示情報ＤＩ、制御信号ＣＩ１及び座標ＣＯを、符号化された情報ＥＤＩが該標準のインターフェースを介して伝送することができるように合成してもよい。多くの符号化方法が既知であり、例えば、制御情報は、ブランキング期間の間においてビデオ信号上に、又は走査期間の間において同期信号（又は複数の同期信号）上に、又は走査期間の間においてビデオ情報の限られた数のライン上に符号化することができる。また、制御信号ＣＩ１及び座標ＣＯをモニタＭＯＮに別個のラインを介して又はＵＳＢ若しくは他のバスを介して供給することもできる。コンピュータＰＣ及びモニタＭＯＮが単一のユニット内に存在する場合は、上記エンコーダ及びデコーダは、情報を供給する如何なる他の方法によっても置換することができる。
【００２５】
本発明によるシステムの一実施例の動作を説明するフローチャートが図６に示されている。当該領域における動きを検出する検出回路ＤＥ１は、図７ないし９を参照して説明される。
【００２６】
図３は、本発明の他の実施例によるコンピュータＰＣ及びモニタＭＯＮのシステムを示している。この実施例において、検出及び向上の両者はコンピュータＰＣにおいて実行される。このようにして、如何なる制御信号及び当該領域の位置に関する情報もモニタＭＯＮに供給する必要がない。
【００２７】
上記ＰＣはグラフィックスアダプタＧＡを有し、該アダプタは表示情報ＤＩを向上回路ＥＭ２及び検出回路ＤＥ２へ供給する。検出回路ＤＥ２は制御信号ＣＩ２を向上回路ＥＭ２に供給して、上記表示情報（ＤＩ）の部分（１、２、３）において前記評価規準（ｉ）ないし（ｉｉｉ）の少なくとも１つが満たされるかを示す。
【００２８】
モニタＭＯＮに供給される表示信号ＶＳは、既に、強調された領域を有している。モニタＭＯＮは、駆動回路ＤＲＣ及び表示スクリーンＤＳを有しており、向上回路及び斯かる回路を制御するための信号は必要としない。
【００２９】
図４は、本発明の他の実施例によるコンピュータＰＣ及びモニタＭＯＮのシステムを示している。この実施例において、検出ＤＥ３及び向上ＥＭ３の両者はモニタＭＯＮにおいて実行される。コンピュータＰＣは、全ての領域（ウインドウ）の座標ＣＯをモニタＭＯＮに供給する。このようにして、当該コンピュータにおける余分な回路及び／又は該コンピュータのプロセッサＰＲＯに対する負荷は最小化される。
【００３０】
上記ＰＣはグラフィックスアダプタＧＡを有し、該アダプタはプロセッサＰＲＯの制御の下で表示情報ＤＩをオプションとしてのエンコーダＥＮＣに供給する。また、プロセッサＰＲＯは表示されるべき全領域の座標ＣＯをエンコーダＥＮＣに供給する。符号化された表示信号ＥＤＩは、モニタＭＯＮに供給される。該モニタはデコーダＤＥＣと向上回路ＥＭ３とを有している。デコーダＤＥＣは上記の符号化された表示信号ＥＤＩから表示情報ＤＩと座標ＣＯとを復号する。検出回路ＤＥ３は、表示情報ＤＩ及び座標ＣＯを入力すると共に、向上回路ＥＭ３に制御信号ＣＩ３を供給して評価規準（ｉ）ないし（ｉｉｉ）の少なくとも１つが当該表示情報（ＤＩ）の部分（１、２、３）において満たされるかを指示する。該制御信号ＣＩ３がその様に指示する場合は、向上回路ＥＭ３は当該領域において表示情報を向上させる。向上された領域（又は複数の領域）を伴う表示信号は、ドライバ回路ＤＲＣを介して表示スクリーンＤＳ上に表示される。
【００３１】
図５は、コンピュータＰＣの他の実施例を示している。該コンピュータＰＣは、更に、入力回路ＩＭと制御回路ＣＯＮとを有している。図５のうちの図２を参照して説明した部分は繰り返し説明しない。
【００３２】
入力回路ＩＭは、ユーザにより入力装置（図示略、例えばマウス又はタッチスクリーン）を用いて供給されるユーザ入力ＵＩを入力し、ユーザ情報ＵＣ１をプロセッサＰＲＯに供給する。プロセッサＰＲＯはユーザコマンドＵＣ２を制御回路ＣＯＮに供給して、表示情報ＤＩの部分１、２、３が向上されるべきか否かを指示する。また、入力回路ＩＭが上記ユーザ情報ＵＣ１をコマンドとして制御回路ＣＯＮに直接供給することも可能である。
【００３３】
制御回路ＣＯＮは検出回路ＤＥ１からの制御信号ＣＩ１及びユーザコマンドＵＣ２を入力し、適応化された制御信号ＣＩ１’を出力して前記ユーザ入力に応じ且つ検出手段ＤＥ１による自動検出とは独立に当該向上を実行し又は実行させない。このようにして、ユーザは、向上されるべきであるとして検出されなかった何のウインドウが向上されるべきであるか、又は向上されるべきであるとして検出された何のウインドウが向上されるべきでないかを指示することにより、上記自動検出を強制変更することができる。
【００３４】
図６は、本発明による方法の一実施例を説明するフローチャートを示している。プロセッサＰＲＯ上で動作する当該コンピュータＰＣ内のソフトウェア（ハイライト又はＨＬアプリケーションと呼ぶ）は、強調されるべき領域（以降、ウイント゛ウと称す）の全ての可能性のある候補を選択する。ステップ１において、ＨＬアプリケーションは、例えばウインドウズ（大文字のウインドウズとは、マイクロソフト社のウインドウズ（登録商標）オペレーティングシステムを指す）において利用可能な全ての存在するウインドウＩＤを定期的に照会することにより、ウインドウが開かれたかを検出する。ステップ２においては、（例えば、上記ウインドウＩＤから）何のアプリケーション（例えば、ｍｅｄｉａｐｌａｙｅｒ．ｅｘｅ）が当該ウインドウに関連されているか、及び該アプリケーションがウインドウに非合成情報が表示される可能性が高いような一群のアプリケーションのうちの１つであるか、が検出される。ステップ３においては、当該ウインドウ内で開かれたファイルが何の拡張子（例えば、ｍｐｅｇ）を有しているか、及び該拡張子が当該ウインドウに非合成情報が表示される可能性が非常に高いような一群の拡張子のうちの１つであるか、が検出される（例えば、ウインドウＩＤから。何故なら、当該アプリケーションのウインドウタイトルは開かれたファイル、例えばｍｙ ｍｏｖｉｅ．ｍｐｅｇを表示するからである）。ステップ４においては、ウインドウ内に表示される情報が動いているかが検出される。図６に示すような本発明による実施例においては、アプリケーションのタイプが先ずチェックされ、当該アプリケーションが上記群に属する場合は、ステップ５が実行される。当該開かれたウインドウ内のアプリケーションが上記群における１つではない場合、当該ウインドウに情報を表示しているファイルの拡張子が上記群のうちの１つであるかがチェックされる。もしそうなら、ステップ５が実行される。もしそうでないなら、当該ウインドウに表示される情報が動いているかがチェックされる。もしそうなら、ステップ５が実行され、もしそうでないなら、ステップ６が実行される。尚、上記ステップ２ないし４のステップの順序を変更し、又は上記ステップ２ないし４の２つ若しくは全てが肯定的に回答された場合にのみステップ５に進むようにすることも可能である。後者の状況においては、当該ウインドウ内の情報が非合成のものである場合にのみ該ウインドウが強調される可能性が高い。ステップ５においては、当該開かれたウインドウが強調されるべきか否かを示すようなユーザ入力が入力されたかがチェックされる。このユーザ入力は、前記自動検出を強制変更する。該ユーザ情報が当該ウインドウは向上されるべきであることを指示する場合は、該ウインドウはステップ７において強調される。上記ユーザ情報が当該ウインドウは向上されるべきでないことを指示する場合は、該ウインドウは向上されず、当該処理はステップ１に進む。当該ウインドウに関して何のユーザ情報も入力されない場合は、該ウインドウはステップ７において向上される。ステップ６においては、当該開かれたウインドウが向上されるべきか否かを示すようなユーザ入力が入力されたかが、検出される。��のユーザ入力は、当該自動決定を強制変更する。もし上記ユーザ情報が当該ウインドウは向上されるべきであることを指示する場合は、該ウインドウはステップ７において向上される。上記ユーザ情報が当該ウインドウは向上されるべきでないことを指示する場合は、該ウインドウは向上されず、当該処理はステップ１に進む。当該ウインドウに関して何のユーザ情報も入力されない場合は、該ウインドウは向上されず、当該処理はステップ１に戻る。
【００３５】
強調するウインドウを選択する１つの方法は、下記の如くであり得る。ユーザは、強調するのに適したコンテンツを含むウインドウ（アプリケーション）を見る。ユーザはキーボード上の或る所定の“ホットキー”（例えば、ＣＮＴＬ−Ｈ）を押下し、強調されるべきアプリケーションでマウスを左クリックする。上記ホットキーは、マウスによる通常の左クリックと、ハイライトアプリケーションのための左クリックとを区別するために必要である。
【００３６】
ユーザがマウスをクリックすると、ＯＳ（オペレーティングシステム）は当該アプリケーション（即ち、クリックされたウインドウを持つアプリケーション）に対し“メッセージ”（システムコール）を送出して、該アプリケーションに左のマウス釦がクリックされたことを通知する。
【００３７】
マイクロソフト社のウインドウズは、ＯＳからアプリケーションへ送られるメッセージを遮断するような所謂システムフック（ｓｙｓｔｅｍ ｈｏｏｋ）をインストールするためのオプションを有している。当該ハイライトアプリケーションは、上記“ホットキー”が押されていない場合に、通常は全てのこれらシステムコールをアプリケーションに渡すような（例えば、当該システムは完全に通常のように動作する）システムフックをインストールすることができる。“ホットキー”はウインドウズのフィーチャであることに注意されたい。当該ハイライトアプリケーションは、あるホットキーを定義することができる。このキーの組合せが押された場合は常に、該ハイライトアプリケーションは通知される。ホットキーが押下されると、上記“フック”は全てのシステムコールの解析を開始する。この“フック”が“左マウスクリックによるシステムコール”を見付けると、該“フック”は当該ウインドウのＩＤ番号（ウインドウズの用語では、ウインドウハンドルｈＷｎｄ）を決定すると共に、該Ｉｄ情報をハイライトアプリケーションに渡す。この特定のシステムコールは当該アプリケーションには渡されないであろう（何故なら、“フック”により処理されるべきことを意味するからである）。当該ハイライトアプリケーションは、該ウインドウＩＤが上側レベルのウインドウからのものであるかを判定する。もしそうでないなら、上側レベルのウインドウが決定される（このためのウインドウズのＡＰＩコールが存在する）。アプリケーションが通常は互いに重なり合う幾つかのウインドウからなることに注意されたい。幾つかは見えるが、幾つかは見えない。これらウインドウの間には、常に、親子関係が存在する。これが、強調するための、見える上側レベルのウインドウを決定するために使用される。
【００３８】
また、当該ハイライトアプリケーションは、選択されたウインドウの視野を他のアプリケーションが部分的に隠しているかを検出することができる。これは、全てのアプリケーションのウインドウに問い合わせ（このためのウインドウズＡＰＩコールが存在する）、位置、大きさ及びｚ順序（＝他のウインドウの前、又は他のウインドウの背後）を尋ねる。強調されたウインドウの前に部分的に他のウインドウがある場合は、当該ハイライトアプリケーションは強調しないと決定することができるか、又は該強調されるウインドウを２つの異なるブロックに“分割する”ことができる（例えば、最早、方形のウインドウではなくなる）。
【００３９】
同様の技術を、強調されたウインドウの動きを追跡するために使用することができる（例えば、ユーザが或るアプリケーションを移動させる場合、当該ＯＳは該アプリケーションに対してシステムメッセージ（例えば、“この位置へ移動”）を送出する）。前記“フック”が、これらのメッセージの１つを見付けると、該“フック”はウインドウＩＤを決定し、この情報をハイライトアプリケーションに送る。ハイライトアプリケーションは、このウインドウ（又は該ウインドウの子の何れか）が強調されるかを決定する。もしそうなら、モニタは強調されるべき領域の更新された情報を受け取る。
【００４０】
ＩＥ及びネットスケープはプラグインのロードを許容し、これらは、ブラウザシステムの詳細な知識を得るというオプションを有している。プラグインは、画像がページ上の何処に配置されるかを決定することができる（何故なら、画像はＨＴＭＬコードではｊｐｇ又はｇｉｆファイルとして発生するからである）。これらの座標は当該ハイライトアプリケーションに転送することができる。該ハイライトアプリケーションはブラウザアプリケーションの動き及びウインドウのスクロールを追跡する必要がある。（強調されるべき部分は、ウインドウの一部のみである。）付加的な問題は、全ての画像が長方形ではない点にある。任意の形状を作成するために透明な背景が使用される。これらは、強調されるべきではない。
【００４１】
ウインドウズにおいては、ＤｉｒｅｃｔＸ ＡＰＩ（マイクロソフト社により定義されている）を使用することにより、又はグラフィックスドライバとＯＳ／グラフィックス表示インターフェースとの間にフィルタドライバをインストールすることによりフレームバッファ（モニタ上に表示される画像を含む）にアクセスすることができる。該フィルタドライバも、フレームバッファに対するアクセスを許可することができる。
【００４２】
フレームバッファを走査することにより（完全に、又はハイライトアプリケーションにより推奨される領域、何故なら、或るアプリケーションが正に開始したことがわかっており、該アプリケーションは特定の位置に自身のウインドウを有するからである）、該ハイライトアプリケーションは、これが強調するのに重要な領域であるかを決定することができる。ハイライトアプリケーションは、その全てのウインドウの情報を正確な領域を決定するために使用することができる。
【００４３】
選択の規準は、コンテンツ、輪郭アルゴリズムの特定のノイズ性又はエッジ性である（画像は通常は長方形の輪郭は有さないが、ウインドウは有する）。静止画に加えて、動きを検出することができる。
【００４４】
図７ないし９は、本発明による領域内の動きを検出する検出回路の実施例を示している。
【００４５】
図７において、検出回路ＤＥ１はメモリＭＥＭを有し、該メモリには第１の時点において表示情報ＤＩの部分１、２、３又は表示情報ＤＩの当該部分における一部が第１データＤ１として記憶される。比較器ＣＯＭ１は、上記第１データＤ１を、例えば１フレーム後又は０．１秒後等の後の第２の時点における表示情報ＤＩの上記部分又は該部分における前記一部の表示情報ＤＩであるような第２データと比較する。比較器ＣＯＭ１は差分値ＤＩＦを処理回路ＣＯＭ４に供給し、該処理回路は、上記の記憶された表示情報Ｄ１と上記第２の時点における対応する表示情報との間の差分ＤＩＦが限界値ＬＶを超えるかを示す制御信号ＣＩ１を出力する。この差分はデータワード毎に決定することができ、充分な差分が発生した場合は、当該領域における表示情報ＤＩが動画（例えば、映画）を示す確率が高く、制御信号ＣＩ１が活性化される。上記メモリＭＥＭはグラフィックス又はビデオアダプタＧＡのビデオメモリとすることができる。比較器ＣＯＭ１及び処理回路ＣＯＭ４は、例えばコンピュータＰＣ内に既に存在するマイクロプロセッサＰＲＯ等の、適切にプログラムされたプロセッサとすることができる。他の実施例においては、検出回路ＤＥ１はモニタＭＯＮ内に配置することもできる。
【００４６】
図８において、検出器ＤＥ２はメモリＭＥＭを有し、該メモリには第１の時点において表示情報ＤＩの部分１、２、３又は表示情報ＤＩの当該部分における一部が第１データＤ１として記憶される。比較器ＣＯＭ１は、上記第１データＤ１を、後の第２の時点における当該表示情報ＤＩの上記部分又は該部分における前記一部の表示情報ＤＩであるような第２データと比較する。比較器ＣＯＭは差分値ＤＩＦを回路ＡＢＳに供給し、該回路は上記差分値ＤＩＦの絶対値ＡＤＩＦを決定する。総和器ＳＵＭは上記第１及び第２データの対応するデータワードの差分の絶対値ＡＤＩＦの和をとって、総和ＳＤＩＦを求める。他の比較器ＣＯＭ２が、該総和ＳＤＩＦを限界値ＬＶと比較する。上記総和ＳＤＩＦが上記限界値より大きい場合は、異なる時点における対応するデータワードの差分は充分に大きく、当該ウインドウにおけるビデオ情報が動画情報であるとの信頼性のある指示情報を有することになる。検出器ＤＥ２の該実施例は、コンピュータＰＣ又はモニタＭＯＮの何れかにおいて実施化することができ、専用のハードウェア又は適切にプログラムされたプロセッサを有することができる。
【００４７】
図９において、検出器ＤＥ３は積分器ＩＮＴを有し、該積分器は表示情報ＤＩを入力して領域１、２、３のライン又はラインの和の輝度値ＤＩＮを出力する。この場合、積分器ＩＮＴは表示データＤＩを当該領域の一部又は完全な領域に対応する期間の間に積分して輝度値ＤＩＮを得る。サンプル・ホールド回路ＳＨは第１時点において上記の決定された輝度値ＤＩＮを、記憶された輝度値ＳＤＩＮとして記憶する。言い換えると、第１時点で開始した時間間隔の間に決定された輝度値が記憶される。比較器ＣＯＭ３は、上記の記憶された輝度値ＳＤＩＮを後の時点における当該領域の対応するライン又はラインの和の更なる輝度値ＤＩＮと比較して制御信号ＣＩ３を出力するが、該制御信号は上記の記憶された輝度値ＳＤＩＮと上記の更なる輝度値ＤＩＮとの間の差が限界値ＬＶを超えるかを示す。このようにして、比較器ＣＯＭ３は順次の期間において（例えば、順次のフレームに関して）当該領域の対応する部分の積分された輝度を比較し、この差が上記限界値ＬＶより大きいかを決定する。該差が上記限界値ＬＶを超える場合は、当該領域で表示された表示情報ＤＩが動画を表す可能性が非常に高い。
【００４８】
尚、上述した実施例は本発明を限定するというよりは解説するものであり、当業者は添付請求項の趣旨から逸脱すること無しに多くの他の実施例を設計することができることに注意すべきである。
【００４９】
各請求項において、括弧内に記載された符号は当該請求項を限定するものとみなしてはならない。また、“有する”なる動詞は、請求項に記載されたもの以外の構成要素又はステップの存在を排除するものではない。また、本発明は幾つかの別個の構成要素を有するハードウェアにより、及び適切にプログラムされたコンピュータにより実施化することができる。例えば、図２及び図３の各々における検出回路ＤＥ１及びＤＥ２、並びに図３における向上回路ＥＭ２は、専用のハードウェア回路である必要はなく、コンピュータＰＣのプロセッサＰＲＯ上で動作する適切なソフトウェアアルゴリズムとして実施化することもできる。複数の手段を列挙する装置の請求項において、これら手段の幾つかは単一且つ同一のハードウェア項目により具現化することもできる。
【００５０】
輝度向上は、表示負荷により時間の関数として制御することができる。表示負荷とは、画像内でオン状態であるセル（ピクセル）の相対数である。向上されるべきウインドウ内の余分な光の量の向上係数は、上記表示負荷の逆数であるとして選択することができる。表示負荷は、時間にわたる平均値を得るために、先ずフィルタ処理することができる。当該ウインドウにおける最大の光量は（例えば、１０００ｎｉｔｓ）に制限することができる。
【００５１】
マイクロソフト社のウインドウズに代えて、例えばＯＳ／２等の、ウインドウで動作するグラフィックスユーザインターフェースを有するような他のオペレーティングシステムを使用することもできる。
【図面の簡単な説明】
【図１】図１は、表示スクリーン上における当該情報の部分に対応する領域の例を示す。
【図２】図２は、本発明によるシステムの一実施例のブロック図である。
【図３】図３は、本発明によるシステムの他の実施例のブロック図である。
【図４】図４は、本発明によるシステムの他の実施例のブロック図である。
【図５】図５は、本発明によるシステムの他の実施例のブロック図である。
【図６】図６は、本発明による方法の一実施例を示すフローチャートである。
【図７】図７は、本発明による領域内の動きを検出する検出回路の一実施例を示す。
【図８】図８は、本発明による領域内の動きを検出する検出回路の他の実施例を示す。
【図９】図９は、本発明による領域内の動きを検出する検出回路の他の実施例を示す。
【国際公開パンフレット】
2004519779.tif 000003
2004519779.tif 000004
2004519779.tif 000005
2004519779.tif 000006
2004519779.tif 000007
2004519779.tif 000008
2004519779.tif 000009
2004519779.tif 000010
2004519779.tif 000011
2004519779.tif 000012
2004519779.tif 000013
2004519779.tif 000014
2004519779.tif 000015
2004519779.tif 000016
2004519779.tif 000017
2004519779.tif 000018
2004519779.tif 000019
2004519779.tif 000020
2004519779.tif 000021
2004519779.tif 000022
2004519779.tif 000023
2004519779.tif 000024
2004519779.tif 000025
【国際公開パンフレット（コレクトバージョン）】
2004519779.tif 000026
2004519779.tif 000027
【国際調査報告】
2004519779.tif 000028
2004519779.tif 000029
2004519779.tif 000030